(57)【要約】【課題】挟持力が強力で付け毛や鬘等が外れ難く、且つ片手でワンタッチ操作が可能な使い勝手の良い、付け毛用髪留め器具を提供する【解決手段】  複数の櫛歯を有する２枚の板状体と、上記２枚の板状体を重ね合った状態でスライド自在に係止する係止具と上記２枚の板状体を互いの上記櫛歯位置が一致した状態に付勢する付勢部材とを有する構成とする【選択図】図１
0003132878.tif 000002
【実用新案登録請求の範囲】
【請求項１】
複数の櫛歯を有する２枚の板状体と、
上記２枚の板状体を重ね合った状態でスライド自在に係止する係止具と
上記２枚の板状体を互いの上記櫛歯位置が一致した状態に付勢する付勢部材とを有することを特徴とする、付け毛用髪留め器具。
【請求項２】
上記２枚の板状体は略長方形に形成され、
上記２枚の板状体は、互い異なる長さ方向一方端に取り付けられ長さ方向に延設された把持片を夫々有し、
上記２枚の板状体のうち、一方の板状体の幅方向端には、長さ方向に沿って少なくとも１箇所以上の付け毛固定用ホール付き突起が延設され、
上記２枚の板状体の幅方向一端側に、長さ方向に沿って少なくとも２箇所以上の厚さ方向に貫通する長孔が設けられ、
上記２枚の板状体は、上記係止具が上記長孔に軸承されることで、重なりあった状態で且つ長孔内を移動することでスライド自在となるように係止され、
上記付勢部材は、上記２枚の板状体の櫛歯位置が一致した状態に付勢するように、上記係止具間に配設され、
上記付け毛固定用ホール付き突起に付け毛を固定し、上記２枚の板状体が重なり合った状態で上記把持片を把持し、
上記板状体の長さ方向中央に向かって押圧することで、上記２枚の板状体を上記櫛歯位置が所定本数分変位した位置まで相対する方向にスライドさせ、
上記状態において、上記櫛歯間に自毛を挿入後、押圧を解除することで、上記付勢部材の付勢力により、上記２枚の櫛歯位置が復元され、上記櫛歯間に自毛を挟みこむことで付け毛と自毛が接合・固定されること特徴とする請求項１記載の付け毛用髪留め器具。
【請求項３】
上記付勢部材は、コイルスプリングにより形成され、上記係止具にその両端が固定されていることを特徴とする、請求項２記載の付け毛用髪留め器具。
【請求項４】
上記長孔と上記係止具は、上記板状体の長さ方向両端及び長さ方向中央の３箇所に設けられ、上記付勢部材は、上記長さ方向一方端の係止具と長さ方向中央の係止具間及び、長さ方向他方端の係止具と長さ方向中央の係止具間に夫々配設されていることを特徴とする、請求項２又は３に記載の付け毛用髪留め器具。
【請求項５】
上記板状体は、親指と人差し指間で把持可能な大きさに形成されていることを特徴とする、請求項１〜４のうち何れか１項に記載の付け毛用髪留め器具。
【考案の詳細な説明】
【技術分野】
【０００１】
本考案は、付け毛や鬘等に取り付けられ、自毛を挟みこむことで頭部に固定するための付け毛用髪留め器具に関する。
【背景技術】
【０００２】
付け毛や鬘等を頭部に装着するためには、付け毛等と自毛を接合・固定するための髪留め具が必要となる。
上記髪留め具については、簡易に且つ確実に付け毛等を装着するために、現在までにさまざまな形状のものが提案されている。
【０００３】
例えば、特開２００６−３７２７８号公報に記載された発明に係る髪留め具は、図７に記載した形状に形成されている。
上記公報の発明に係る髪留め具６０は、図７（ａ）、（ｂ）、（ｃ）に示すように、鬘等に取り付けられるバネ板状部材からなり、櫛状に形成されたピン６１と一体に形成された本体部６２と、上記本体部６２を、ピン部６１が外側、もしくは内側にして弓状に反り返らせるべく、上記本体部６２の両端部にハトメ６３、６３により固定・連結されたピン当接部６４を備えている。
上記ピン当接部６４のピン６１と相対的に離接する部分には樹脂製の熱収縮チューブ６５によって被覆が施されている。
【０００４】
同図（ｂ）に示すように、本体部６２は、通常、両方向矢印Ａの方向、つまりピン部６１が外側になるように弓状に反り返っている。ハトメ６３、６３を把持し、上記本体部６２を両方向矢印Ｂの方向、つまりピン部６１が内側になるように反り返らせると、ピン６１とピン当接部６４とが相対的に離れ、このとき、自毛をピン部６１とピン当接部６４の間に挿入することが出来るようになる。
【０００５】
そして、自毛を挿入後、再び同図（ｂ）の両方向Ａの方向、つまりピン部６１が外側になるように弓状に反り返らせると、ピン６１とピン当接部６４とが相対的に圧接し、自毛を挟みこむことで、鬘を自毛に接合・固定するものである。
【０００６】
しかしながら、このような髪留め具においては、自毛はピンとピン当接部間に挟まっているに過ぎず、比較的挟持力は弱い。また、ピンの変形等により挟持力が弱まり、その結果鬘等が外れ易くなるという問題がある。
【０００７】
また、本願に係る考案と同様に２枚の櫛状体からなる髪留め具として、特開平３−２３４８０４号公報に記載された発明がある。
図８に示すとおり、上記公報に記載された発明に係る髪留め具７０は、固定櫛７４とスライド櫛７１から形成され鬘等に取り付けられている。
上記固定櫛７４とスライド櫛７１はボルト７５とストッパー板７３により、長孔７２内をスライド可能に固定されている。
【０００８】
同図において、上記スライド櫛はつまみ７８を回して雄ネジ７７を回すことで、スライド部７６がスライド櫛７１を長孔７２に沿った方向に押圧すると、スライド櫛７１は長孔にそって押圧方向にスライドし、スライド櫛７１の櫛歯７９−１と固定櫛７４の櫛歯７９−２が離接する。
上記状態において、離接した櫛歯７９の隙間に自毛を挿入し、更につまみ７８を回して雄ネジ７７を回すと、スライド櫛７１の櫛歯７９−１は、当初当接していた固定櫛の櫛歯７９−２のスライド方向に隣接する櫛歯７９−１と再び当接することで自毛を挟み込み鬘等を接合・固定するものである。
【０００９】
しかしながら、このような髪留め具は、スライド操作がネジを回すことによって行われるため、挟持力は強いものの、ネジを回す動作が面倒であり、また片手で操作することは困難である。
【考案の開示】
【考案が解決しようとする課題】
【００１０】
本考案の課題は、挟持力が強力で付け毛や鬘等が外れ難く、且つ片手でワンタッチ操作が可能な使い勝手の良い、付け毛用髪留め器具を提供することにある。
【課題を解決するための手段】
【００１１】
上記課題を解決するために、請求項１に記載された考案に係る付け毛用髪留め具は、複数の櫛歯を有する２枚の板状体と、上記２枚の板状体を重ね合った状態でスライド自在に係止する係止具と上記２枚の板状体を互いの上記櫛歯位置が一致した状態に付勢する付勢部材とを有することを特徴とする。
【００１２】
すなわち、上記２枚の板状体の櫛歯間に付勢部材の付勢力により自毛を挟みこむことで、付け毛と自毛を接合・固定することができる。
【００１３】
また、請求項２に記載された考案に係る付け毛用髪留め具は、上記２枚の板状体は略長方形に形成され、さらに上記２枚の板状体は、互い異なる長さ方向一方端に取り付けられ長さ方向に延設された把持片を夫々有し、上記２枚の板状体のうち一方の板状体の幅方向端には、長さ方向に沿って少なくとも１箇所以上の付け毛固定用ホール付き突起が延設され、上記２枚の板状体の幅方向一端側に、長さ方向に沿って少なくとも２箇所以上の厚さ方向に貫通する長孔が設けられ、上記２枚の板状体は、上記係止具が上記長孔に軸承されることで、重なりあった状態で且つ長孔内を移動することでスライド自在となるように係止され、上記付勢部材は上記２枚の板状体の櫛歯位置が一致した状態に付勢するように上記係止具間に配設され、上記付け毛固定用ホール付き突起に付け毛を固定し、上記２枚の板状体が重なり合った状態で上記把持片を把持し、上記板状体の長さ方向中央に向かって押圧することで、上記２枚の板状体を上記櫛歯位置が所定本数分変位した位置まで相対する方向にスライドさせ、上記状態において、上記櫛歯間に自毛を挿入後、押圧を解除することで、上記付勢部材の付勢力により、上記２枚の櫛歯位置が復元され、上記櫛歯間に自毛を挟みこむことで付け毛と自毛が接合・固定されることを特徴とする。
【００１４】
すなわち、櫛歯をスライドさせて自毛に挿入後、把持を解除すると、付勢部材の付勢力で自動的に櫛歯位置が復元されることで、櫛歯間に自毛が挟みこまれ付け毛と自毛が接合・固定される。
【００１５】
また、請求項３に記載された考案に係る付け毛用髪留め具は、上記付勢部材は、コイルスプリングにより形成され、上記係止具にその両端が固定されていることを特徴とする。
【００１６】
すなわち、コイルスプリングの付勢力により自毛を挟みこむことで、付け毛と自毛が接合・固定される。
【００１７】
また、請求項４に記載された考案に係る付け毛用髪留め具は、上記長孔と上記係止具は、上記板状体の長さ方向両端及び長さ方向中央の３箇所に設けられ、上記付勢部材は、上記長さ方向一方端の係止具と長さ方向中央の係止具間及び、長さ方向他方端の係止具と長さ方向中央の係止具間に夫々配設されていることを特徴とする。
【００１８】
すなわち、複数の付勢部材が設けられることで、付勢力が安定し且つ強力となる。
【００１９】
また、請求項５に記載された考案に係る付け毛用髪留め具は、上記板状体は、親指と人差し指間で把持可能な大きさに形成されていることを特徴とする。
【００２０】
すなわち、上記付け毛用髪留め具による自毛の挟み込み操作を片手で行うことができる。
【考案の効果】
【００２１】
請求項１記載の考案に係る髪留め具は、複数の櫛歯を有する２枚の板状体と、上記２枚の板状体を重ね合った状態でスライド自在に係止する係止具と、上記２枚の板状体を互いの上記櫛歯位置が一致した状態に付勢する付勢部材とを有することから、櫛歯のスライドにより複数の櫛歯間で自毛が挟みこまれるため、平面的に挟み込む方法と比較し、その挟持力が強く、付け毛のズレや外れを防止することが可能となる。
【００２２】
請求項２記載の考案に係る髪留め具は、上記２枚の板状体は略長方形に形成され、さらに上記２枚の板状体は、互い異なる長さ方向一方端に取り付けられ、長さ方向に延設された把持片を夫々有し、上記２枚の板状体のうち、一方の板状体の幅方向端には、長さ方向に沿って少なくとも１箇所以上の付け毛固定用ホール付き突起が延設され、上記２枚の板状体の幅方向一端側には、長さ方向に沿って少なくとも２箇所以上の厚さ方向に貫通する長孔が設けられ、上記２枚の板状体は、上記係止具が上記長孔に軸承されることで、重なりあった状態で且つ長孔内を移動することでスライド自在となるように係止され、上記付勢部材は、上記２枚の板状体の櫛歯位置が一致した状態に付勢するように、上記係止具間に配設され、上記付け毛固定用ホール付き突起に付け毛を固定した上で、上記２枚の板状体が重なり合った状態で上記把持片を把持し、上記板状体の長さ方向中央に向かって押圧することで、上記２枚の板状体を上記櫛歯位置が所定本数分変位した位置まで相対する方向にスライドさせ、上記状態において、上記櫛歯間に自毛を挿入後、押圧を解除することで、上記付勢部材の付勢力により、上記２枚の櫛歯位置が復元され、上記自毛を挟みこむことで付け毛と自毛が接合・固定されるため、櫛歯がスライドした状態から把持を解除するだけで自動的に自毛が挟み込まれるため、非常に操作が容易であり、片手のみで付け毛の装着が可能となる。
【００２３】
請求項３記載の考案に係る付け毛用髪留め具は、上記付勢部材は、コイルスプリングにより形成され、上記係止具にその両端が固定されているため、付勢力が安定し、確実に付け毛を自毛に接合・固定することができる。
【００２４】
請求項４記載の考案に係る付け毛用髪留め具は、上記長孔と上記係止具は、上記板状体の長さ方向両端及び長さ方向中央の３箇所に設けられ、上記付勢部材は、上記長さ方向一方端の係止具と長さ方向中央の係止具間及び、長さ方向他方端の係止具と長さ方向中央の係止具間に夫々配設されているため、板状体のスライド操作が安定すると共に、付勢部材が複数となることから付勢力も強化され、より確実に付け毛を自毛に接合・固定することができる。
【００２５】
請求項５記載の考案に係る付け毛用髪留め具は、上記板状体は、親指と人差し指間で把持可能な大きさに形成されているため、付け毛の装着が片手の指先のみで可能となり、装着操作が容易になる。
【考案を実施するための最良の形態】
【００２６】
以下添付図面に記載された本考案の実施の形態に基づき、本考案を説明する。
【００２７】
図１〜３に示すとおり、本実施の形態に係る付け毛用髪留め具１０は、複数の櫛歯１１ａ、１１ｂを有する２枚の板状体１２ａ、１２ｂと、上記板状体１２ａ、１２ｂを重ね合った状態でスライド自在に係止する係止具１３ａ、１３ｂ、１３ｃと、上記板状体１２ａ、１２ｂを互いの上記櫛歯１１ａ、１１ｂの位置が一致した状態に付勢する付勢部材１４ａ、１４ｂとから形成されている。
上記板状体１２ａ、１２ｂは略長方形に形成され、互い異なる長さ方向一方端１５ａ、１５ｂには、長さ方向に延設された把持片１６ａ、１６ｂを夫々有している。
上記板状体１２ａの板状体の幅方向端１７には、長さ方向に沿って付け毛固定用ホール付き突起１８ａ、１８ｂ、１８ｃが延設されている。
さらに上記板状体１２ａ、１２ｂの幅方向一端１７寄りには、長さ方向に沿って厚さ方向に貫通する長孔１９ａ、１９ｂ、１９ｃが設けられている。
上記係止具１３ａ、１３ｂ、１３ｃは上記長孔１９ａ、１９ｂ、１９ｃに軸承され、長孔内を移動することで、上記板状体１２ａ、１２ｂが重なりあった状態でスライド自在となるように係止されている。
上記付勢部材１４ａ、１４ｂはコイルスプリングにより形成されており、上記板状体１２ａ、１２ｂの櫛歯位置が一致した状態に付勢するように、上記係止具１３ａと１３ｂ間及び１３ｂと１３ｃ間にそれぞれ配設されている。
また、上記板状体１２ａ、１２ｂは親指と人差し指で把持可能な大きさに形成されている。
【実施例】
【００２８】
以下に、本実施例について詳細を説明する。
まず、図１〜３に示すように、付け毛用髪留め具１０は、全体略長方形に形成され、複数の櫛歯１１ａ、１１ｂを有する２枚の板状体１２ａ、１２ｂが互いに重ね合わされた状態で形成されている。
上記板状体１２ａ、１２ｂの幅方向一端１７寄りには長さ方向に沿って楕円状の長孔１９ａ、１９ｂ、１９ｃが設けられ、上記長孔１９ａ、１９ｂ、１９ｃには、上記板状体１２ａ、１２ｂを重なった状態で且つ長さ方向にスライド自在となるように係止するための係止具１３ａ、１３ｂ、１３ｃが軸承されている。
上記係止具１３ａ、１３ｂ、１３ｃの１３ａと１３ｂ間及び１３ｂ、１３ｂと１３ｃ間にはコイルスプリングで形成されている付勢部材１４ａ、１４ｂの両端部が固定されている。
上記付勢部材１４ａ、１４ｂは、上記板状体１２ａ、１２ｂの櫛歯１１ａ、１１ｂ位置が全て一致した状態となるよう付勢しており、指で把持していない状態では、上記板状体１２ａ、１２ｂの櫛歯１１ａ、１１ｂの位置は全て一致している。
上記板状体１２ａの一方端と１２ｂの他方端には、上記付け毛用髪留め具１０を指で把持し、スライド時に押圧するための把持片１６ａ、１６ｂが夫々延設されている。
また、上記板状体１２ａの板状体の幅方向一端１７に、長さ方向に沿って延設された付け毛固定用ホール付き突起１８ａ、１８ｂ、１８ｃには、頭部に装着するための付け毛（図示せず）が糸等で固定されている。
尚、付け毛の大きさ・形状により、必要に応じて複数の付け毛用髪留め具１０を用いることができる。
【００２９】
以下、本実施例の作用について説明する。
【００３０】
図４に示す通り、付け毛用髪留め具１０の板状体１２ａ、１２ｂに延設されている把持片１６ａ、１６ｂを指で把持し、図５、６に示すように、同図矢印Ａの方向に板状体１２ａ、１２ｂを互いに長さ中心に向かってスライドさせる。
上記操作に伴って板状体１２ａ、１２ｂの櫛歯１１ａ、１１ｂも同方向にスライドする。
図５、６に示すとおり、上記板状体１２ａ、１２ｂと櫛歯１１ａ、１１ｂをスライドさせた状態のまま、上記櫛歯１１ａ、１１ｂの間に自毛２０に挿入し、その後、指を離すと、コイルスプリングの付勢部材１４ａ、１４ｂが上記板状体１２ａ、１２ｂをスライド前の位置に戻す方向に付勢するため、上記櫛歯１１ａ、１１ｂは上記自毛２０を挟みこんだまま、スライド前の位置つまり図４の状態に戻る。
これにより、上記自毛２０は複数の上記櫛歯１１ａ、１１ｂの間に挟みこまれ、付け毛と自毛２０が接合・固定される。
付け毛を外す場合は、上記把持片１６ａ、１６ｂを指で把持し、再び図５、６の矢印Ａの方向に上記板状体１２ａ、１２ｂと櫛歯１１ａ、１１ｂをスライドさせ、自毛２０を挿入した際の状態に戻すことで挟み込みが解除され、上記付け毛用髪留め具１０を引き抜くことができる。
以上の操作は片手の指先のみで可能であり、付け毛の装着と取り外しがワンタッチで可能となると共に、櫛歯による挟み込みにより、挟持力が強く、付け毛が外れたりずれたりすることがない。
【００３１】
尚、本実施例においては装着対象を付け毛としたが、複数の付け毛用髪留め具を用いることで、頭部全域を覆う鬘であっても、同様の効果を持って装着することが可能である。
【産業上の利用可能性】
【００３２】
本製品は、付け毛、鬘等を頭部に装着するための付け毛用髪留め具に適用可能である。
【図面の簡単な説明】
【００３３】
【図１】本実施の形態に係る付け毛用髪留め具の斜視図である。
【図２】本実施の形態に係る付け毛用髪留め具の正面図である。
【図３】本実施の形態に係る付け毛用髪留め具の平面図である。
【図４】本実施の形態に係る付け毛用髪留め具を指で把持した状態の斜視図である。
【図５】本実施の形態に係る付け毛用髪留め具の板状体をスライドさせた状態の斜視図である。
【図６】本実施の形態に係る付け毛用髪留め具の板状体をスライドさせた状態の平面図である。
【図７】（ａ）は従来の髪留め具の平面図であり、（ｂ）は従来の髪留め具の側面図であり、（ｃ）は従来の髪留め具の側面図である。
【図８】従来の髪留め具の別例の斜視図である。
【符号の説明】
【００３４】
１０    付け毛用髪留め具
１１ａ  櫛歯
１１ｂ  櫛歯
１２ａ  板状体
１２ｂ  板状体
１３ａ  係止具
１３ｂ  係止具
１３ｃ  係止具
１４ａ  付勢部材
１４ｂ  付勢部材
１５ａ  上記板状体１２ａの長さ方向一方端
１５ｂ  上記板状体１２ｂの長さ方向他方端
１６ａ  把持片
１６ｂ  把持片
１７    上記板状体１２ａの板状体の幅方向一端
１８ａ  付け毛固定用ホール付き突起
１８ｂ  付け毛固定用ホール付き突起
１８ｃ  付け毛固定用ホール付き突起
１９ａ  長孔
１９ｂ  長孔
１９ｃ  長孔
２０    自毛
【図１】
0003132878.tif 000003
【図２】
0003132878.tif 000004
【図３】
0003132878.tif 000005
【図４】
0003132878.tif 000006
【図５】
0003132878.tif 000007
【図６】
0003132878.tif 000008
【図７】
0003132878.tif 000009
【図８】
0003132878.tif 000010